(57)【要約】  光ポリマーを有する印刷版を硬化放射線に暴露するための装置及び方法。複数の発光ダイオード（ＬＥＤ）は、少なくとも２つ、より好ましくは少なくとも３つの異なるＬＥＤ種を含み、各ＬＥＤ種は、好ましくはＵＶスペクトルの異なる中心発光波長を有する縦列及び横列のアレイに配列される。ＬＥＤ種は、繰り返し配列で互いに隣接して配置される。アレイに接続されたコントローラは、アレイを活性化してＬＥＤ種の各々を独立して制御し、これらを平面上で互いにオーバーラップする隣接する要素の発光パターンと同時に印刷版に向けて放射線を放出させるように構成される。線状源又は平面源は、複数の独立して制御可能なアレイを含むことができる。【選択図】図３Ｄ
2021529113.tif 000002
【特許請求の範囲】
【請求項１】
印刷版を化学線に暴露するための装置であって、前記印刷版は、前記化学線によって活性化される感光性ポリマーを備え、
前記装置は、
縦列及び横列のアレイに配列された複数の発光ダイオード（ＬＥＤ）を備え、
前記ＬＥＤの各々は発光パターンを有し、前記複数のＬＥＤは複数のＬＥＤ種を備え、前記ＬＥＤ種の各々は、各々が何らかの他のＬＥＤ種とは異なる共通の中心発光波長を有する複数の要素を有し、前記アレイは、繰り返し配列で互いに隣接して配置された前記ＬＥＤ種のそれぞれで構成され、前記繰り返し配列は、
ａ）前記横列内で単一のＬＥＤ種から成る交互になった横列、又は
ｂ）隣接する横列内の同じＬＥＤ種の隣接する要素が斜線に沿って整列された状態で、各前記横列の各々の中で交互になったＬＥＤ種、
を含み、
前記装置は、さらに、
前記ＬＥＤアレイに接続された少なくとも１つのコントローラ、
を備え、
前記少なくとも１つのコントローラは前記第１の及び第２のＬＥＤ種の各々を独立して制御して、前記ＬＥＤアレイを活性化し、前記第１及び第２のＬＥＤ種が、前記版上で互いにオーバーラップする前記第１及び第２のＬＥＤ種の隣接する要素の発光パターンで、前記化学線を同時に前記印刷版に向けて放出させるように構成される、ことを特徴とする装置。
【請求項２】
２のＬＥＤ種を備える、請求項１に記載の装置。
【請求項３】
３のＬＥＤ種を備える、請求項１に記載の装置。
【請求項４】
４のＬＥＤ種を含む、請求項１に記載の装置。
【請求項５】
前記横列内で単一のＬＥＤ種から成る前記交互になった横列は、交互配置された構成で配置される、請求項１〜４のいずれかに記載の装置。
【請求項６】
前記ＬＥＤ種の各々の前記要素は、共通の駆動装置に電気的に接続され、前記電気的に接続され要素の各々を共通の強度で放出させるように構成される、請求項１〜４のいずれかに記載の装置。
【請求項７】
前記版は長さ及び幅を有し、前記アレイは前記版の全幅を同時に照射するように構成される、請求項１〜６のいずれかに記載の装置。
【請求項８】
前記アレイは、長手方向軸に沿って前記版の全幅未満を同時に照射するように構成され、前記長手方向軸に沿って前記アレイと前記版との間に相対運動を引き起こすための手段をさらに含む、請求項１〜６のいずれかに記載の装置。
【請求項９】
前記アレイは、前記版の全長を同時に照射するように構成される、請求項１〜７のいずれかに記載の装置。
【請求項１０】
前記アレイは、前記版の全長未満を同時に照射するように構成され、前記装置は、長手方向に前記版と前記ＬＥＤアレイとの間に相対移動をもたらすための手段をさらに含む、ことを特徴とする請求項１〜８のいずれかに記載の装置。
【請求項１１】
前記相対移動をもたらすための手段は、上部に取り付けられた版を受け取るように構成され、前記ＬＥＤアレイに対して前記版を移動させるように構成されたドラムを備える、請求項１０に記載の装置。
【請求項１２】
前記相対移動をもたらすための手段は、フラットベッド構成の前記版に対して前記ＬＥＤアレイを移動させるためのキャリッジを含む、請求項１０に記載の装置。
【請求項１３】
前記版は、第１の寸法及び第２の寸法を有し、前記アレイは、前記版の第１の寸法全て未満及び第２の寸法全て未満を照射するように構成される、請求項１〜６のいずれか１項に記載の装置。
【請求項１４】
前記アレイは、同時に前記版の前記第１の寸法全てであるが、同時に前記版の前記第２の寸法全て未満を照射するように構成された線状源を形成するように配列された複数のユニットのうちの１つを含み、前記装置は、前記第２の方向に沿って前記版と前記線状源との間に相対移動をもたらすための手段を備える、請求項１３に記載の装置。
【請求項１５】
前記アレイは、前記版の前記第１の寸法全て及び前記版の前記第２の寸法全てを同時に照射するように構成された、平面源を形成するように配列された複数のユニットのうちの１つを含む、請求項１３に記載の装置。
【請求項１６】
前記複数のユニットの各々は、１又は２以上のユーザが調整できる放出特性を有する、請求項１４又は１５に記載の装置。
【請求項１７】
前記複数のユニットは、１つのユニットが別のユニットとは異なる放出特性を同時に放出することを許容するように構成可能である、請求項１６に記載の装置。
【請求項１８】
前記複数のユニットは、前記ユニットが暴露持続時間の別の部分の間に別の放出特性を放出することを許容するように構成可能である、請求項１６に記載の装置。
【請求項１９】
前記ＬＥＤ種の各々は、ユーザが調整できる放出強度を有する、請求項１〜１８のいずれかに記載の装置。
【請求項２０】
前記ＬＥＤ種の各々は、紫外ＵＶスペクトルの中心発光波長を有する、請求項１〜１９のいずれかに記載の装置。
【請求項２１】
前記ＬＥＤ種の各々は、３２０ｎｍ〜４２０ｎｍの範囲の中心発光波長を有する、請求項２０に記載の装置。
【請求項２２】
前記ＬＥＤ種の各々は、３６０ｎｍ〜４２０ｎｍの範囲の中心発光波長を有する、請求項２０に記載の装置。
【請求項２３】
前記ＬＥＤ種の各々は、３９５ｎｍ、３６５ｎｍｍ、及び４１５ｎｍから成るグループから選択された中心発光波長を有する、請求項２０に記載の装置。
【請求項２４】
前記ＬＥＤアレイは、前記印刷版の後面の非印刷面を暴露するように位置決めされる、請求項１〜２３のいずれかに記載の装置。
【請求項２５】
前記ＬＥＤアレイは、前記印刷版の前面の印刷面を暴露するように位置決めされる、請求項１〜２４のいずれかに記載の装置。
【請求項２６】
前記印刷版の後面の非印刷面を暴露するように位置決めされた第１のＬＥＤアレイ、及び前記印刷版の前面の印刷面を暴露するように位置決めされた第２のＬＥＤアレイを含む、請求項１〜２５のいずれかに記載の装置。
【請求項２７】
請求項１〜２６のいずれかの装置を用いて印刷版を暴露するための方法であって、前記方法は、
アレイに配列された複数のＬＥＤを準備する段階と、
前記ＬＥＤアレイを活性化して、ＬＥＤ種の各々が同時に前記印刷版に向けて化学線を放出させるようにする段階と、
を含む、方法。
【請求項２８】
暴露中に前記ＬＥＤアレイと前記版との間の相対運動を制御する段階をさらに含む、請求項２７に記載の方法。
【請求項２９】
対応する別のＬＥＤ種の強度とは異なる、１つのＬＥＤ種の強度をもたらす段階をさらに含む、請求項２８に記載の方法。
【請求項３０】
前記ＬＥＤ種のそれぞれの相対強度を調整して、前記版の１つのバッチと前記版の別のバッチとの間の暴露強度の検出差を補償する段階をさらに含む、請求項２７に記載の方法。
【請求項３１】
前記相対強度を調整して、前面暴露ステップに使用するために暴露感受性の差を補償する段階をさらに含む、請求項３０に記載の方法。
【請求項３２】
前記相対強度を調整して、後面暴露ステップに使用するために暴露感受性の差を補償する段階をさらに含む、請求項３０に記載の方法。
【請求項３３】
同じ作動条件のセットの作動が、前記露出強度の差を別にして、前記版の前記バッチのそれぞれに対して、所望レベルの偏差内で効力を発するように、前記相対強度を調整する段階を含む、請求項３０に記載の方法。
【請求項３４】
複数の暴露システム内でＬＥＤ種のそれぞれの相対強度を調整して、前記暴露システムのそれぞれの間の検出差を補償する段階をさらに含み、１つの暴露システムに対する少なくとも１つの相対強度セットが、別の暴露システムに対する少なくとも別の相対強度セットとは異なるようになっており、調整された前記１つの暴露システム及び前記別の暴露システムが、前記相対強度を除いた同一の作動条件に対して所望レベルの偏差内で効力を発するようになっている、請求項２７に記載の方法。
【請求項３５】
請求項１４に記載の装置を用いて印刷版を暴露するための方法であって、前記方法は、
各々がアレイに配列された複数のＬＥＤを備える複数のユニットを含む、線状源を準備する段階と、
前記線状源を活性化させて、前記ユニットの各々の中のＬＥＤ種の各々が同時に前記印刷版に向けて化学線を放出させるようにする段階と、
暴露中に前記線状源と前記版との間の相対運動を制御する段階と、
少なくとも１つのユニットを制御して、少なくとも１つの他のユニットとは異なる放射特性をもたらす段階と、
を含む、方法。
【請求項３６】
前記相対運動の第１の部分に第１の放射特性をもたらし、前記相対運動の第２の部分に第２の放射特性をもたらす、少なくとも１つのユニットをさらに含む、請求項３５に記載の方法。
【請求項３７】
請求項１５の記載の装置を用いて印刷版を暴露するための方法であって、前記方法は、
各々がアレイに配列された複数のＬＥＤを備える複数のユニットを含む、平面源を準備する段階と、
前記平面源を活性化させて、前記ユニットの各々の中のＬＥＤ種の各々が同時に前記印刷版に向けて化学線を放出させるようにする段階と、
少なくとも１つのユニットを制御して、少なくとも１つの他のユニットとは異なる放射特性をもたらす段階と、
を含む、方法。
【請求項３８】
前記少なくとも１つの他のユニットとは異なる前記放射特性をもたらす前記少なくとも１つのユニットを含む、請求項３７に記載の方法。
【請求項３９】
前記少なくとも１つのユニットを制御して、暴露期間の別の部分とは異なる、前記暴露期間の一部の放射特性をもたらす段階をさらに含む、請求項３８に記載の方法。
【請求項４０】
前記異なる放射特性は、異なる集合発光強度である、請求項３５〜３９のいずれかに記載の方法。
【請求項４１】
前記異なる放射特性は、前記ＬＥＤ種のそれぞれからの相対発光強度の異なる混合である、請求項３５〜３９のいずれかに記載の方法。
【発明の詳細な説明】
【技術分野】
【０００１】
（関連出願の相互参照）
本出願は、２０２０年４月２６日出願の米国仮出願第６２／８３９，１７１号「発光ダイオードを用いて印刷版を暴露するための装置及び方法」の優先権を主張し、その開示内容全体は引用により本明細書に組み込まれる。
【背景技術】
【０００２】
発光ダイオード（ＬＥＤ）技術の利用は、光ポリマー印刷版を硬化する分野などの多くの技術的用途で普及しており、ここではＬＥＤが蛍光管に取って代わる。ＬＥＤは、優れた短期安定性及び良好な長期安定性に起因して光ポリマー印刷版を硬化するための望ましい放射線源である。
【０００３】
印刷版を機能的エネルギー源への暴露によって硬化するための種々のシステム及びプロセスは公知であり、本発明の出願人が所有し、その開示内容全体が本明細書に組み込まれている米国特許第９，３１５，００９号「発光ダイオードを用いる印刷版の暴露」及び米国特許第８，５７８，８５４号「万華鏡のような多角形断面を有する鏡映壁の光トンネルを用いる光硬化性印刷版の硬化」に説明されているような、ＬＥＤを用いて硬化放射線を提供するための方法を含む。
【０００４】
ＬＥＤは、典型的には、これらの中心発光波長を参照することで特徴付けられる。米国特許第９，３１５，００９号は、全て紫外（ＵＶ）スペクトル内の様々な中心波長のＬＥＤがシート光ポリマーの硬化のために用いられる、アレイの使用を説明する。印刷版を硬化するのに異なる波長のＵＶ  ＬＥＤのアレイを用いることで、望ましい幾何学的特性を有するフレキソ印刷ドットを生成することができる。異なる波長のＵＶ  ＬＥＤのアレイを用いることで、印刷画像を基板に転写するためのインクを受け取る印刷版の前面、すなわち画像搭載面の暴露だけでなく、基板の非印刷面、すなわち後面（裏面）の暴露に対しても利点をもたらすことができる。
【先行技術文献】
【特許文献】
【０００５】
【特許文献１】米国特許第９，３１５，００９号
【特許文献２】米国特許第８，５７８，８５４号
【発明の概要】
【発明が解決しようとする課題】
【０００６】
従って、本技術分野において、光ポリマー印刷版の安定した再現可能な暴露を可能にする複数の中心発光波長を有する離散的ＬＥＤアレイを提供するニーズが依然としてある。
【課題を解決するための手段】
【０００７】
本発明の例示的な実施形態は、感光性ポリマーを有する印刷板を照射するための装置を含む。装置は、プリント基板（ＰＣＢ）上に取り付けられた集積回路（ＩＣ）チップ形態の各ＬＥＤ又は表面実装設計（ＳＭＤ）ＬＥＤを含むチップオンボード（ＣＯＢ）などの、縦列及び横列のアレイに配列された複数の発光ダイオードを含み、別個のハウジング中のＬＥＤは、基板上に表面実装される。各ＬＥＤは発光パターンを有し、複数のＬＥＤは、第１の中心発光波長を有する少なくとも第１のＬＥＤ種の１又は２以上の要素、少なくとも第２の中心発光波長を有する第２のＬＥＤ種の１又は２以上の要素、及び一部の実施形態では、少なくとも第３の中心発光波長を有する第３のＬＥＤ種の１又は２以上の要素を含む。第２の中心発光波長は第１の中心発光波長とは異なり、第３の中心発光波長は第１及び第２の中心発光波長とは異なる。アレイは、（少なくとも３種を有する実施形態では）第１のＬＥＤ種、第２のＬＥＤ種、及び第３のＬＥＤ種の繰り繰り返し配列で互いに隣接して配置されたそれぞれのＬＥＤ種で構成される。また、装置は、ＬＥＤアレイに接続された少なくとも１つのコントローラを含む。コントローラは、独立して各ＬＥＤ種を制御してＬＥＤアレイを活性化するように構成され、版上で互いに重なる様々な種のＬＥＤの隣接する要素の発光パターンで、同時に全てのＬＥＤ種が印刷版に向けて放射線を放出するようにする。
【０００８】
１つの実施形態では、装置は、印刷版の後面の非印刷面を暴露するように位置決めされる。
【０００９】
別の実施形態では、装置は、印刷版の前面の印刷面を暴露するように位置決めされる。
【００１０】
別の実施形態では、本明細書に説明するような第１の装置を含むシステムは、印刷版の後面（裏面）の非印刷面を暴露するように位置決めされ、本明細書で説明するような第２の装置は、印刷版の前面の印刷面を暴露するように位置決めされる。
【００１１】
一部の実施形態では、アレイは、版の第１の寸法全て未満及び第２の寸法全て未満を照射するように構成されたユニットを含むことができる。複数のユニットは、同時に版の第１の寸法全てであるが、同時に版の第２の寸法全て未満を照射するように構成された線状源を形成するように配列することができ、暴露システムは、第２の方向に沿って版と線状源との間に相対移動を可能にする手段をさらに含む。他の実施形態では、複数のユニットは、版の第１の寸法全て及び版の第２の寸法全てを同時に照射するように構成された線源を形成するように配列することができる。ユニットは、一方のユニットが別のユニットとは異なる放出特性を同時に放出することを許容して、暴露持続時間の様々な部分又はこれらの組み合せ中に様々な放出特性を同じユニットが放出することを許容するように構成可能とすることができる。異なる放射特性は、例えば、異なる集合発光強度又はそれぞれのＬＥＤ種からの異なる混合の発光強度を含むことができる。このような暴露システムを用いて印刷版を暴露するための方法は、少なくとも１つのユニットを制御して、少なくとも１つの他方のユニットとは異なる放射特性を同時にもたらすか、又は、相対運動の第１の部分又は多段階暴露の第１のステップなどの暴露持続時間の第１の部分の第１の放射線特性、及び暴露持続時間の第２の部分の第２の放射特性をもたらす段階を含むことができる。
【図面の簡単な説明】
【００１２】
【図１】印刷板を放射線に暴露するための例示的なドラム装置の概略図を示す。
【図２Ａ】印刷板を放射線に暴露するための例示的なフラットベッド装置の概略図を示す。
【図２Ｂ】印刷板を放射線に暴露するための別の例示的なフラットベッド装置の概略図を示す。
【図２Ｃ】ドラム構成の感光性印刷板の前面及び後面（裏面）暴露のための装置を示す概略図である。
【図３Ａ】異なる波長の２つのＬＥＤ種の例示的なアレイを示す。
【図３Ｂ】異なる波長の３つのＬＥＤ種のアレイのための例示的な構成を示す。
【図３Ｃ】異なる波長の３つのＬＥＤ種のアレイのための別の例示的な構成を示す。
【図３Ｄ】異なる波長の４つのＬＥＤ種の例示的なアレイを示し、共に接続された共通種のＬＥＤを概略的に示すサブアレイを含む。
【図４Ａ】印刷版上の異なる波長の個々のＬＥＤ種の例示的なオーバーラップを示す。
【図４Ｂ】異なる波長の個々のＬＥＤ種の発光パターンの中を通って連続的に移動する例示的なポリマー印刷版を示す。
【図５Ａ】１つの種のＬＥＤの駆動電子機器の例示的な位置を示す、冷却板上に取り付けられた多層ＰＣＢ（図５Ｂに示す線Ｃ−Ｃに沿った断面で示す）上の例示的なＳＭＤ  ＬＥＤアレイ組立体の側面図である。
【図５Ｂ】簡素化のために１つの種のＬＥＤの単一の斜線のみを示す、図５Ａの例示的なＳＭＤ  ＬＥＤアレイの平面図である。
【発明を実施するための形態】
【００１３】
図面を参照すると、図１は、放射線への暴露によって硬化される感光性ポリマーを有する印刷板を暴露するように構成された構成要素を含む装置１００を概略的に示す。装置１００は、その上にポリマー版１０３を有する回転ドラム１０１を含む。本技術分野で知られているように、版１０３は、感光性ポリマー層の上に配置された画像マスクを有する画像版とすることができ、マスクは下の版材料の暴露を遮断するか又は許容する。硬化放射線（例えばＵＶ光）１０５を放出するように構成された暴露ユニット１０５は、長手方向でドラム軸に対して平行な線状源として配置される。ＵＶ「光」は、可視又は非可視スペクトルとすることができ、用語「放射線」及び「光」は本明細書では同義的に用いることができると理解すべきであり、用語「光」は、可視光だけに限定されることを意味するものではない。放射線は、硬化される対象版での化学反応を生じさせることができる電磁スペクトルの何らかの部分の何らかの種類の化学線とすることができる。
【００１４】
一部の実施形態では、暴露ユニット１０５は、ドラム上の版の全幅未満を覆うことができ、長手方向で前後にラスターすることができる。他の実施形態では、暴露ユニット１０５は、ドラムの版取り付け領域の全幅を覆うように構成され、静止したままである。版は図１のドラム上に取り付けられた版として示されているが、版及び放射線源は、以下に説明する図２Ａ及び図２Ｂに示すように、代わりにフラットベッド配列で構成することができることを理解されたい。コントローラ１０７は、駆動機構１０９、電力供給装置１１１、及び暴露ユニット１０５に接続される。
【００１５】
１つの実施形態では、光暴露ユニット１０５は、図３Ａ−３Ｅに示す例示的なアレイ１３０Ａ−１３０Ｅのうちの１つのようなＬＥＤアレイに配列された複数のＬＥＤを含む。一部の実施形態では、各ＬＥＤは集積回路（ＩＣ）チップを含み、複数のチップは基板１４０上で横列のアレイに配列される。アレイは、複数のＬＥＤが「チップオンボード」（ＣＯＢ）構成で構成される、すなわち基板１４０上に取り付けられた複数の離散的表面実装設計（ＳＭＤ）ＬＥＤとして構成される形態とすることができ、基板は、本明細書でさらに検討するように、その上にＳＭＤ  ＬＥＤを取り付けることができるプリント基板（ＰＣＢ）などの本技術分野で知られている何らかの基板とすることができる。
【００１６】
図３Ａに示す実施形態では、ＬＥＤアレイ１３０ＢのＵＶ  ＬＥＤの交互になった横列は、異なる波長を有することができる。ＬＥＤアレイ１３０Ｂは、第１の中心波長を有する第１のＬＥＤ種１３２、及び第１の中心波長とは異なる第２の中心波長を有する第２のＬＥＤ種１３４を含む。一般に、本明細書で検討するように、ＬＥＤの全ては、印刷版光ポリマーを硬化するのに適している範囲で放射線を放出する（可視光又は非可視光とすることができる）。従って、ＬＥＤは、典型的には、ＵＶ又は近ＵＶ範囲の、好ましくは約３２０ｎｍ〜約４２０ｎｍの波長範囲の、より好ましくは約３６０ｎｍ〜約４２０ｎｍの範囲の波長を有する。例えば、図３Ａに示す実施形態では、第１のＬＥＤ種は、３９５ｎｍの中心波長を有することができ、第２のＬＥＤ種は、３６５ｎｍの中心波長を有することができる。本明細書で用いられる場合、「中心波長」の波長は、各ＬＥＤ種が放出する発光スペクトルの大部分を構成するが、発光スペクトルは、典型的には、中心波長の周りの非常に狭い分布の形態である。図３ＡのＬＥＤアレイ１３０Ｂは、交互配置の反復配列で互いに隣接して配置されたＬＥＤ種の各々で構成され、第１のＬＥＤ種１３２は第１の横列に配置され、第２のＬＥＤ種１３４は第２の横列に配置され、その後、ＬＥＤ種は各横列ごとに交互になる。図３Ａは１０の横列（各ＬＥＤ種は５の横列）を示すが、本発明は、何らかの特定の数の横列に限定されないが、好ましくは、アレイは、各ＬＥＤ種の同じ数の横列を有する。本明細書で用いられる場合、用語「交互配置の横列」は、第２の横列の要素が隣接する第１の横列の各要素の間のスペースと整列する横列を指す。交互配置の横列を特徴付ける別の方法は、各横列の各要素が均一に離間した縦列に整列されていると見なすことであり、連続的に番号付けされた縦列及び横列は、下向きに番号付けされた上側横列から始まり、右向きに番号付けされた最も左の縦列から始まり、奇数の番号が付与された横列の各要素は、奇数の番号が付与された縦列に整列し（偶数の番号が付与された縦列内の要素ではない）、偶数の番号が付与された横列の各要素は、偶数の番号が付与された縦列に整列する（奇数の番号が付けられた縦列内の要素ではない）。
【００１７】
図３Ｂは、第１の中心波長を有する第１のＬＥＤ種１３２、第１の中心波長とは異なる第２の中心波長を有する第２のＬＥＤ種１３４、及び第１及び第２の中心波長とは異なる第３の中心波長を有する第３のＬＥＤ種１３６を含む、ＬＥＤアレイ１３０Ｂの別の実施例を示す。図３ＢのＬＥＤアレイ１３０Ｃは、第１の横列に第１のＬＥＤ種１３２、第２の横列に第２のＬＥＤ種１３４、及び第３の横列に第３のＬＥＤ種１３６の交互配置の反復配列で配置された各ＬＥＤ種の交互配置の横列で構成される。図３Ｃに示す配列では、例えば、配列は合計９の横列のために３回繰り返すが、本発明は、何らかの特定の数の横列に限定されるものはなく、好ましくは、横列の数は異なるＬＥＤ種の数の倍数である。
【００１８】
ＬＥＤの出力強度は、ＬＥＤに供給される駆動電流を変化させることによって制御することができる。１つの実施形態では、ＵＶ  ＬＥＤ光組立体の様々な種の波長の強度は、本発明の出願人が所有し引用により本明細書に組込まれる米国特許第８，２２７，７６９号で説明するように、所望の幾何学的特性を有するレリーフ印刷ドットを生成するように変化する。波長及び強度の組み合わせで版の前面（印刷面）を画像化するための米国特許第８，２２７，７６９号で説明する利点を超えて、版の後面（裏面）（非印刷面）を暴露するために可変強度と波長の組み合わせを提供できることは特定の利点がある。ＬＥＤ製造時の種々の要因は中心波長に影響を与え、従ってＬＥＤの中心波長は、バッチ毎に異なる場合がある。同様に、印刷版の属性は、バッチにより異なる場合がある。従って、可変強度を有する複数のＬＥＤ波長を提供することで、アレイ又は版の特定のバッチの変動を補償するためにＬＥＤ波長及び強度を最適に制御することができ、例えば、工場を走る複数のラインは、効率を最適にしてライン間の反復性を提供することができ、及び単一又は複数のラインを有する工場は、版の様々なバッチに対してバッチ間の反復性を達成できる。本出願人は、効率及び反復性を最適にして調整する能力が、前面（印刷面）の暴露並びに後面（非印刷面）（床）の暴露の両方に対して顕著な利点を有することができることを見出している。
【００１９】
例えば、別のＬＥＤ種の対応する強度とは異なる１つのＬＥＤ種の強度を制御する能力は、ユーザがそれぞれのＬＥＤ種の相対強度を調整して、一方の版のバッチと他方の版のバッチとの間の検出差を補償することを可能にする。従って、相対強度は、相対強度の差を除いて同じ作動条件のセットが、版の異なるバッチの化学線に対する感受性の検出差にもかかわらず、版の異なるバッチに対して所望レベルの偏差内で効力を発するように調整することができ、感受性は、波長固有とするとすること、版構成の何らかの態様よってもたらされること、及び前面暴露、後面（裏面）暴露、又は両方に対して商業的に有意な感受性を与えることができる。複数の暴露システムでそれぞれのＬＥＤ種の相対強度を調整する能力は、ユーザがそれぞれの暴露システムの間の検出差を補償することを可能にすることができ、このように調整された暴露システムは、相対的強度の差を補償することを除いて、同一作動条件で所望レベルの偏差内に効力を発することができる。
【００２０】
図３Ａ−３Ｄに示すように、各ＬＥＤは、相対移動の方向の第１、第２及び第３のＬＥＤ種１３２、１３４及び１３６の各々の開口の長さが、対応する開口の幅よりも小さい矩形の開口を有する。本発明は、特定の開口幾何学形状に限定されないが、開口は、正方形又は幅よりも長さが大きい矩形とすることができる。
【００２１】
図３Ｃ及び３Ｄにそれぞれ示すアレイ１３０Ｃ及び１３０Ｄでは、各横列は複数のＬＥＤ種の各々を含み、隣接する横列は、交互配置されるのではなく中心に基づいた（on-center）整列をし、隣接する横列の隣接する同じＬＥＤ種は、斜線に沿って整列する（矢印Ａで示す）。本明細書で用いられる場合、用語「中心に基づいた」は、各横列が各縦列に整列した要素を有するように、隣接する横列のＬＥＤの中心点が縦列に整列することを意味する。図３Ｄに示すように、横列の各々は、第１、第３、及び第３の種１３２、１３４及び１３６をそれぞれ順番に含み、第１の横列は第１の種１３２から始まり、第２の横列は第３の種１３６から始まり、第３の横列は第２の種１３４から始まり、これらのそれぞれのパターンは繰り返される。これは、矢印Ａに沿って種１３２に対して示すように斜め下及び右に整列した隣接する各ＬＥＤ種をもたらし、各ＬＥＤ種は矢印Ａに平行な斜線に沿って整列する。本発明は、同じ横列又は隣接する横列のＬＥＤ種の何らかの特定のパターン又は順序に限定されないが、順序がどのように選択されても一貫して繰り返されるのが好ましい。図３Ｄに示す配列の例示的な実施形態では、第１のＬＥＤ種１３２は、３９５ｎｍの中心波長で放射線を放出することができ、第２のＬＥＤ種１３４は、３６５ｎｍの中心波長で放射線を放出することができ、第３のＬＥＤ種１３６は、４１５ｎｍの中心波長で放射線を放出することができる。何らかの特定の波長に限定されるものではないが、本出願人は、一部の用途では３６５ｎｍ又はそれ以上の波長の使用が、３６５ｎｍ未満の波長よりも一般に効率が良いことを見出している。
【００２２】
図３Ｄに示す例示的なアレイは、中心に基づいた横列の繰り返しパターンの各横列の繰り返しパターンを適用し、各横列は４つの異なる中心波長の異なるＬＥＤ種から始まり、ＬＥＤ種の各々は、それぞれの斜線Ａ４、Ａ３、Ａ２、及びＡ１に沿って整列する。図３Ｃ及び３Ｄに示す斜線は、ＬＥＤの横列に対して例えば４５°の配向角度、又は３０°もしくは６０°の角度を有することができる。本発明は、斜線に関する何らかの特定の角度に限定されず、これは、開口寸法及び１つの横列のＬＥＤの数に依存する場合がある。
【００２３】
本明細書で説明するＬＥＤアレイは、図３Ｄに示す７×４サブアレイ１４５などの複数のサブアレイ又はユニットを含むことができ、その各々は、線源を成す全アレイの一部分のみを含む。同じＬＥＤ種は、各ＬＥＤ種の共通要素を共に接続する各ＬＥＤ種のための対応する異なる破線特性を有する破線によって概略的に示すように、各サブアレイ又はユニットで電気的に接続することができる。サブアレイの各ＬＥＤ種は、共通サブコントローラ又は駆動装置を有することができる。サブアレイの各ＬＥＤ種が専用のサブコントローラ又は駆動装置を有するサブアレイの使用は、一方のサブアレイ又はユニットの放射特性を（他方とは異なって）制御する能力につながる。例えば、線状源において、離散的に制御可能なサブアレイは、同時に、線源の一方の線状部分において、他方と比較すると異なる全体放射強度又は異なるＬＥＤ種強度の組み合わせを提供するために用いることができる。このような能力は、特定の版の理想的な放射特性を識別しようとする場合に特に有用であろう。例えば、引用により本明細書に組み込まれている米国仮特許出願第６３／００８２１７号「フレキソ光ポリマー版を暴露するためにパラメータの最適化のためのシステム及び方法」で説明するように、サブアレイ構成は、単一光ポリマー版上の単一暴露手順で作り出すことができるサンプル数を増やすために利用することができる。全アレイを２又は３以上のサブアレイに分割することによって、各サブアレイは、異なる集合光強度及び／又は異なる波長種の異なる混合の相対強度を備えることができ、これは、線状源の寸法に沿った異なる暴露特性での２又は３以上のポリマー版部分の暴露を同時に許容する。また、各ユニットは、暴露持続時間の異なる部分で異なる放出特性を放出するように構成することができる。例えば、同じユニットは、異なる放出特性で、好ましくは段階的変化で、版と線源との間の相対運動の異なる部分で及び／又は多段暴露の異なるステップで放出することができる（１又は２以上のステップ又は部分の間に暴露を提供しないことを含む）。このような機能性は、同じ版の様々な部分を多数の暴露特性に暴露することを可能にする。線状源のサブアレイとして示したが、サブアレイの使用は何らかの特定の設計に限定されず、版の長さ及び幅の両方を完全に覆う平面源（限定ではないが、前面又は後面暴露など）に適用することができ、離散的に制御可能なサブアレイはグリッドを形成する。このような平面源ユニットは、同時に暴露持続時間の様々な特性で又は様々な部分で放出するこができる。４のＬＥＤ種の実施形態で示したが、個々に制御可能なサブアレイを有する実施形態は、何らかの特定の数の種に限定されず、単一のＬＥＤ種デザインに有用な場合もある。
【００２４】
同じＬＥＤ種の間の配線接続は、多層構造を含むＨｅｎｋｅｌによって作られたＢＥＲＧＱＵＩＳＴ（登録商標）ＴＨＥＲＭＡＬ  ＣＬＡＤ絶縁金属基板（ＴＣＬＡＤ（登録商標））などの、金属コアＰＣＢ又は絶縁金属基板ＰＣＢで実現するこができる。図５Ａ及び５Ｂは、冷却板５４０に取り付けられた当該多層ＰＣＢ（層５１０、５２０、５３０）上に取り付けられた例示的なアレイＳＭＤ  ＬＥＤ５００を示す。図５Ｂには、簡素化のために１つのＬＥＤ種５００の単一の斜線のみが示されている。多層ＰＣＢは、図５Ｂに示すよう線Ｃ-Ｃに沿って断面で示されている。絶縁金属基板ＰＣＢは、金属ベースヒートシンク層５３０（例えば１〜５ｍｍ厚の銅又はアルミニウム）と、ＳＭＤ  ＬＥＤ５００などの電子部品を接続するためのより薄い伝導性配線層５１０（例えば数１０μｍ〜数１／１０ｍｍの銅）とを含む。層５１０及び５３０は、薄い誘電体層５２０（例えばセラミック又はエポキシ樹脂）によって互いに絶縁される。このような基板は、ＬＥＤ照明用途では最新式であり比較的低コストで入手可能である。
【００２５】
図３Ｃ、３Ｄ、５Ａ、及び５Ｂに示す配列は、アレイの長い側面に同一の中心波長の斜線に沿った好都合な電気経路を可能にする。好ましい実施形態では、アレイは、液体（例えば水）が出入りするための入口及び出口ポート５５０、５６０を有する冷却板（例えば流体冷却板）５４０の一側面上に位置し、駆動電子機器は、冷却板の反対側上に位置する。従って、このような実施形態では、冷却板５４０の縁部の周りの共通のＬＥＤ種５００を接続するＰＣＢの配線層５１０に接続された配線５８０を冷却板の反対側に設けられた駆動電子機器５７０に配線することが好都合である。
【００２６】
ｎの異なる波長を有する実施形態に関して、光源１０５とポリマー版１０３との間の相対移動の方向のＬＥＤの数（すなわちＬＥＤの横列）は、好ましくはｎの倍数である。同様に、図３Ｃ及び３Ｄに示す構成におけるアレイの幅を横切るＬＥＤの数はまた、好ましくはｎの倍数である。しかしながら、本発明は、このような構造を有する実施形態に限定されない。
【００２７】
再度図１を参照すると、コントローラ１０７は、版１０３が位置する回転可能なドラム１０１を回転させて、露出ユニット１０５と版１０３との間に相対運動を生成するように駆動機構１０９を制御する。暴露ユニットがドラム上の版の全幅より小さい幅を有する場合（図示せず）、光暴露ユニットは、長手方向で前後に移動するように構成することができ、コントローラはその長手方向の移動を同様に制御することができる。
【００２８】
一部の実施形態では、コントローラ１０７は、光暴露ユニット１０５内で図５Ａに示すように各ＬＥＤ種５００を独立して制御する駆動装置５７０を含むこともできる（例えば、各ＬＥＤ種は、図３Ｄに示すように１３２、１３４及び１３６を含む）。コントローラ１０７は、ＬＥＤ種の全てを同一の強度で放出させるように構成することが、又は各ＬＥＤ種が異なる強度をもつよう制御するように構成するこができる。各ＬＥＤ種の強度は、好ましくは、独立して制御可能であり、対話型ユーザ入力によって可変的に制御可能である。コントローラ１０７は、図１に概略的に示されており、多くの入力及び出力を独立して制御することができるプログラマブルロジックコントローラ（ＰＬＣ）などの単一の制御ユニットを含むことができ、又は、モータ、ＬＥＤ種などの各々の複数の協調サブコントローラ又は駆動装置を含むことができる。本明細書で用いられる場合、用語「コントローラ」は、本明細書で検討するように、機能性を提供するように作動可能な１又は２以上のコントローラ及び／又は協調サブコントローラのあらゆる構成を指す。
【００２９】
作動時、コントローラ１０７はＬＥＤアレイを活性化し、全てのＬＥＤ種が版１０３に向けて同時に放射線を放出するようにする。この同時放出は、図４Ａに示すように、版１０３上で互いにオーバーラップする、例えば、第１、第２、及び第３のＬＥＤ種１３２、１３４、及び１３６の隣接する要素のそれぞれの放出パターンをもたらす。図４Ａに示す概略的な実施形態では、第１、第２、及び第３のＬＥＤ種１３２、１３４及び１３６は、ポリマー版１０３に対して十分な距離Ａで位置付けられ、版１０３上に異なる波長の十分にオーバーラップした放射コーンを生成する。総放出放射線パワーの８３％又は１／ｅ2以上を有するＬＥＤに関する光放射コーンの幾何学形状を測定することができ、又はこれは所与のＬＥＤに関して知られている。従って、距離Ａ（及び、例えば図３Ｄ及び３Ｅに示す実施形態では、アレイ内の隣接する異なるＬＥＤ種の間隔）は、異なる波長のそれぞれの第１、第２、及び第３のＬＥＤ種１３２、１３４及び１３６のオーバーラップする放射コーンが、図４Ａに示すように、版１０３の表面上に均一照明をもたらすように選択される。
【００３０】
一般に、好ましい配列では、複数のＬＥＤは、表面の許容可能な均一照明を可能にするために、（ａ）ポリマーに対して所望レベルの暴露を与えるために表面の単位当たりに必要な出力、（ｂ）各ＬＥＤによって放出される最大出力、（ｃ）表面までのＬＥＤの距離、（ｄ）放射コーンの幾何学形状、によって決まるＬＥＤ数に関して、隣接するＬＥＤから均等に離間するように比較的均等に分散配置される。各ＬＥＤ種によって均一照明をもたらす配列が好ましいＬＥＤ源アレイは、例えば、米国特許第８，５７８，８５４号で説明されている、光トンネル又は万華鏡の一端又はその近傍位置に取り付けることができる。このような光トンネル又は万華鏡の使用が光源に対して一般的に許容レベルの均一性をもたらすことは知られている。
【００３１】
アレイ又はＬＥＤの何らかの特定のサイズに限定されないが、多重ＬＥＤ種の配列は、現在、単一波長ＬＥＤに用いられているのと同様の配列のＬＥＤを用いて実施することができ、また、この実施構成は、照明の適切レベルの均一性をもたらすことが知られている。例えば、１つの例示的なシステムでは、約６００のＳＭＤ  ＬＥＤのアレイは、約１３００×７８ｍｍの計測領域に展開される。各ＳＭＤ  ＬＥＤ源自体は、単一波長ＬＥＤのアレイを含むことができる。１３００ｍｍ寸法のアレイは、関連する寸法で暴露するように版の全寸法を覆い、７８ｍｍ寸法は、固定された版に対して移動する。この配列では、各ＬＥＤは、約１３ｍｍ離間することができ、１００×６（６００）ＬＥＤのアレイになる。上述の寸法を有する当該アレイは、調整なしで２ＬＥＤ種システムに適することができる（３００の各ＬＥＤ種が提供される）。好ましくは、横列及び縦列の各数は、ＬＥＤ種の数で割り切れ、整数を生じる。従って、例えば、上述のものとほぼ同じ占有面積を有する３ＬＥＤ種のシステムは、９９×６（又は１０２×６）のアレイを有することができ、その場合、照明領域の全体の寸法又は相対間隔は適宜調整することができる。同様に、４ＬＥＤ種システムに適したアレイは１００×８とすることができ、５ＬＥＤ種システムに対しては１００×５などとすることができる。しかしながら、本発明は、アレイの何らかの特定のサイズ又は寸法、もしくはＬＥＤの数又はサイズに限定されない。好ましくは、アレイの２つの数のうちの大きい数はＬＥＤの縦列の数に対応し、２つの数のうちの小さい数は横列の数に対応するが、本発明はこれに限定されない。しかしながら、各横列が異なるＬＥＤ種である実施形態では、より少ない数の横列を有する配列は、より単純な配線を必要とするという利点を有し、各ＬＥＤ種の独立制御が可能になる。上記ではＳＭＤ  ＬＥＤの実施形態に関連して説明されるが、各アレイは、ＣＯＢ  ＬＥＤ源で構成することもできることを理解すべきであり、その場合、上述のようにアレイに配列されている各離散的ＬＥＤ源は、ＣＯＢ  ＬＥＤを備えることができ、ＣＯＢ  ＬＥＤ自体は、全て同じ波長の小さなＬＥＤアレイを備える。
【００３２】
図３Ａ及び図３Ｂに示すアレイのような実施形態では、交互になった横列に配列された異なるＬＥＤ種は暴露をもたらし、これによって、図４Ｂに示すように、版１０３は、ＬＥＤの交互になった横列によって作り出される一連の光コーンの下を連続的に移動される。
【００３３】
版１０３は長さ及び幅を有する。１つの実施形態では、ＬＥＤアレイは、版の全幅を同時に照射する幅を有するが版の全長ではなく、その場合、アレイと版との間の縦方向の相対運動は、時間と共に所望の完全暴露をもたらす。他の実施形態では、ＬＥＤアレイは、版１０３の全幅未満及び全長未満を同時に照射し、長手方向にアレイと版との間の追加の相対移動は、時間と共に完全暴露をもたらすために必要である。さらに他の実施形態では、ＬＥＤアレイは、版１０３の全幅及び全長を同時に照射する。一部の実施形態では、ＬＥＤ又は印刷版の過熱を最小にするために又は暴露プロセスの微制御のために、複数のパス又は照射ステップにわたってわずかな量で完全に計算された暴露をもたらすことが望ましい場合がある。
【００３４】
図１に示すように、装置１００は、印刷版１０３の前面、すなわち印刷面を暴露するように位置決めされかつドラム構成を含む。他の実施形態は、印刷版の後面（裏面）を独立して又は前面と同時に暴露するように構成することができる。本明細書で検討する何れの配列も、本発明の出願人が所有し、引用により開示内容全体が本明細書に組み込まれる米国出願番号１５/９２６，６１６号で詳細に説明されているように、前面暴露と後面（裏面）暴露との間で遅延させて版の後面（裏面）及び前面を暴露するように構成することができる。
【００３５】
また、版の後面（裏面）は、図２Ｃに示す配列に従って、ドラム構成で暴露することができる。他の実施形態は、図２Ａ及び２Ｂに示すように、フラットベッド配列を成すことができる。
【００３６】
図２Ｃに示す実施形態７００では、印刷版７３０は、所定の速度で回転する透明な（例えばガラス）円筒体７６０上に取り付けることができ、主放射線源７１０（本明細書で説明するような何らかのアレイ配列を成す）は、円筒体の外部表面に隣接しかつ円筒状の回転経路に沿って第１の位置に配置され、後面（裏面）放射線源７２０（本明細書で説明するような何らかのアレイ配列を成す）は、円筒体の内部表面に隣接しかつ円筒状の回転経路に沿って第２の位置に配置される。放射線源のそれぞれの位置は、回転速度で必要な所望の時間遅延を提供するように、所定の距離だけ相隔たることができる。このようなシステムでは、光源の位置及び／又は回転速度は、様々な時間遅延を可能にするように可変とすることができる。感光性印刷版７３０は、上述のシステムの透明円筒体７６０上に適合するように設計されたスリーブのようなスリーブとすることができ、又は円筒体の表面に配置してしっかり固定することができるように、平坦であるが十分に可撓性とすることができる。本明細書で用いられる場合、用語「透明な」は、所望の波長で所望の量の放射線が選択された材料を通過することを許容する何らかの材料に言及することができると理解すべきである。従って、本明細書で用いられる場合、「透明な」は、目に見えるほど透明でない又は人の目には半透明でさえある材料に言及することができる。
【００３７】
図２Ａに示す実施形態では。第１の線状放射線源１１２２（本明細書で説明するアレイ配列の何れかを成す）は、ガラス板などの透明な表面１１１２上に取り付けられた版１１１４の後面（裏面）を照射するように配列されたキャリッジ１１３０上に取り付けることができ、第２の線状源１１２２（本明細書で説明するアレイ配列の何れかを成す）は、版の上面を照射するように配列されたキャリッジ１１３０上に取り付けることができる。各線状源は、版の１次元をカバーするように延在し、これは、図示の実施例では、横断方向と呼ばれるものとする。キャリッジは、少なくとも１つ放射線源及び好ましくは両方の放射線源が活性化された状態で、版を矢印Ｌに沿って長手方向（又は横方向）に横切る。暴露ステップは、単一パスで実行することができるが、一部の実施形態では、暴露ステップは、複数のパスで実行するこができ、ここでは各パスは、所望量の暴露をもたらすのに必要な全暴露のうちの一部で両放射線源を用いて放射線を与える。理解できるように、キャリッジは、版を放射線源が活性化された状態で矢印Ｌの方向に沿って横切る場合の第１の速度と、版を矢印Ｌの反対方向に横切る場合のより速い第２の速度とを有し、別のパスに対して又は所望数のパスの終了時にリセットすることができる。
【００３８】
暴露を作り出すための全体的機構は、透明な（例えばガラス）内側部分１１１２を保持する外枠１１１０を有するテーブルを備えることができる。上方の線状放射線源１１２０及び下方の線状放射線源１１２２（例えば本明細書で説明するようなＬＥＤアレイ）は、ガントリーシステム又はキャリッジ１１３０上に取り付けられる。放射線源は、例えば、キャリッジの動きの全域に伸びるのに十分なたるみをもつ電源コードで電源に接続される。外枠部上に配置されたトラック（図示せず）は、ガントリーシステム又はキャリッジが横切るための所定の経路を提供する。キャリッジは、チェーン駆動、スピンドル駆動、歯車駆動などを含む、本技術分野で公知の何らかの駆動機構（電源又はコントローラにも接続される）によってトラック上を移動することができる。キャリッジ用の駆動機構は、キャリッジ内に取り付けられた１又は２以上の構成要素、テーブルに固定された１又は２以上の構成要素、又はこれらの組合せを含むことができる。位置センサ（図示せず）は、好ましくは、キャリッジに結合され、いつでもキャリッジの正確な位置に関するフィードバックをコントローラに提供する。放射線源を作動させるための及びキャリッジの動きを制御するためにコントローラから出力される制御信号は、有線又は無線接続を介して供給するこができる。コントローラは、電源ケーブルと同様の放射線源に取り付けられた制御信号ケーブルを備え、固定位置に取り付けることができ、例えばテーブルに結合されるか、又はキャリッジの中又はその上に取り付けることができる。制御システム及び駆動機構は、協働して放射線源からの光と版との間で、横方向の後面（裏面）／前面の相対運動を引き起こす。駆動機構が、版を収容するテーブルの一部を、固定された上方及び下方の線状放射線源を通過させるように構成される他の実施例を考え得ること、並びに、放射線源が、版の全幅未満を覆い、版の全被覆を可能にするために横方向及び長手方向の両方に移動可能である（又は、版全体を覆うのに必要な全可動を可能にするために、版が両方向に移動可能である、又は版は２方向のうちの一方で移動可能でありかつ放射線源が他の方向に移動可能である）、実施形態を考え得ることを理解されたい。１つのワークフロー構成では、上述のような暴露ステップを行なうためのテーブル（すなわち暴露テーブル）は、イメージャーから画像版を自動的に受け取るように位置することができる。例えば、イメージャーは、画像版をそこから排出して第１の位置に載せるように位置決めすることができ、ロボット操作装置は、画像版を自動的に第１の位置から取り出して暴露テーブル上の処理位置に移動させるように構成することができ、次に、本明細書で説明する暴プロセスは、版を長手方向に横切るキャリッジに取り付けられた横方向線状源を用いて実行される。
【００３９】
図２Ｂに示す例示的な実施形態８００では、１又は２以上の集合放射線源８１０、８２０は、版８３０の側部寸法（長さ、幅）の両方と少なくとも同一の広がりを有する平面放射野を放出するように構成することができる（例えば、各集合放射線源８１０、８２０は、そのように活性化あれるように構成される場合、活性化されると一斉に版表面全体を照射するように構成することができる）。前面放射線源及び後面（裏面）放射線源の両方で示すが、実施形態は、一方又は他方のみを備えるように構成することができる。各放射線源８１０、８２０は、複数の個別のＬＥＤ点源を含む（本発明で説明する何れかのアレイ構成で）。コントローラ８５０は、後面（裏面）を暴露するために放射線源８２０の一部をオンにすることと、主表面を暴露するために放射線源８１０の一部をオンにすることとの間の時間差を作り出すことによって遅延時間を作り出すように構成することができる。印刷版８３０は、水平で透明な（例えばガラス）板８６０上に平らに置くことができる、又は垂直配向に垂下させることができる。複数のＬＥＤは、同時に照射するように協働して制御すること、又は所望のパターンで作動させることができる。例えば、個々の副放射線源は、放射線源８１０を構成する全てよりも少ない個々の副放射線源が同時にオンになり、放射線源８２０を構成する全てよりも少ない個々の副放射線源が同時にオンになるように独立して制御することができる。必要に応じて、集合副放射線源は、所望の時間遅延を提供し、版の同じ座標に対して互いに空間的に整列された副放射線源によって版の前面及び後面が同時に照射されるのを防ぐ、何らかのパターンで制御することができる。
【００４０】
１つの例示的な制御パターンは、キャリッジに取り付けられた前面線状源及び後面線状源によって提供されることになる同じ光パターンを本質的に模倣する動きなどの、放射野と版との間に相対運動を引き起こす順序で副放射線源を活性化することができるが、可動部品がないという利点がある。照明パターンは、前面及び後面の複数の部分を同時に照射するように構成することができる（例えば、１つが版の一端から始まり、１つが中間から始まる、複数のキャリッジを模倣するパターンなど）。しかしながら、このような構成の照明パターンは、１又は２以上のキャリッジを模倣するパターンに制約されず、版の何らかの特定の断面座標に対して、所望の時間遅延、全体暴露、及び前面及び後面から同時暴露の欠如をもたらす何らかのパターンで実施することができる。また、パターンは、前面及び後面暴露の各々の間に適用された所望の時間遅延でもって、各面に対する単一の暴露又は各面に対する全必要暴露の部分暴露のいずれかで、後面全体を一度に次に前面全体を照射することを含むことができる。さらに、フラット構成で示されているが、版及びソースの両方が固定されているシステムは、円筒構成で配列することができることも理解されたい。
【００４１】
本明細書で説明するようなアレイは、本技術分野で知られている何らかの方法又は装置に関して印刷版の暴露に関連して使用するために構成することができ、使用する方法及び装置は、実施例として本明細書で説明するものに限定されないことに留意されたい。加えて、本明細書で説明するような方法及び装置は、ワークフロー内で組み合せることができる。例えば、版の前面は、図１に概略的に示されるようなドラムシステムを用いて暴露することができ、後面（裏面）は、図２Ｂに概略的に示されるようなフラットベッドシステムを用いて暴露することができる。
【００４２】
複数のステップを含む方法が説明される場合、特に記載のない限り、このようなステップの順序付けがされないことが促される点に注目されたい。
【００４３】
本発明の実施形態は、何らかの特定の実施構成に限定されず、本発明は、本明細書に記載する機能を実行するための何らかの適切な技術を用いて実施することができることも理解できるはずである。さらに、実施形態は、何らかの特定のオペレーティングシステムに限定されない。
【００４４】
本明細書全体を通して「１つの実施形態」又は「実施形態」への参照は、実施形態に関連して説明する特定の特徴、構造、又は特性が、本発明の少なくとも１つの実施形態に含まれることを意味する。従って、本明細書全体を通して別の箇所での語句「１つの実施形態では」又は語句「実施形態では」の出現は、必ずしも全て同じ実施形態への参照でないが、そうである場合もある。さらに、１又は２以上の実施形態では、特定の特徴、構造、又は特性は、本開示から当業者には明らかであろう何らかの適切な方法で組み合せることができる。
【００４５】
本明細書に提示する説明では、多数の具体的な詳細が記載されている。しかしながら、本発明の実施形態は、これらの具体的な詳細なしに実施することができることを理解されたい。場合によっては、公知の方法、構造、及び技術は、この説明の理解を曖昧にしないために詳細には示されていない。
【００４６】
本明細書で用いられる場合、特に記載のない限り、共通の物体を説明するための序数形容詞「第１の」、「第２の」、「第３の」などの使用は、単に、同様の物体の様々な実例が参照されていることを示し、そのように説明される物体が、順位付け又は何らかの他のやり方で時間的、空間的に所与の順序にする必要があることを暗示することを意図するものではない。
【００４７】
以下の特許請求の範囲及び本明細書の説明では、用語「備えている（ｃｏｍｐｒｉｓｉｎｇ）」、「から構成される（ｃｏｍｐｒｉｓｅｄ  ｏｆ）」、「備える（ｗｈｉｃｈ  ｃｏｍｐｒｉｓｅｓ）」のうちのいずれかはオープンタームであり、少なくとも要素／特徴を含むが、他のものを除外しないことを意味する。請求項で用いられる場合、用語「備えている」は、記載された手段、又は要素、又はステップに限定されると解釈すべきではない。例えば、Ａ及びＢを備える装置という表現の範囲は、要素Ａ及びＢのみから成る装置に限定すべきではない。本明細書で用いられる場合、用語「含んでいる（ｉｎｃｌｕｄｉｎｇ）」又は「含む（ｗｈｉｃｈ  ｉｎｃｌｕｄｅｓ）」又は「含む（ｔｈａｔ  ｉｎｃｌｕｄｅｓ）」のうちのいずれかは、用語に従う少なくとも要素／特徴を含むが、他の用語を除外しないことを意味するオープンタームである。従って、「含んでいる」は「備えている」と同義である。
【００４８】
同様に、用語「連結される」は、請求項で用いられる場合、直接的な接続のみに限定すると解釈すべきでない点に留意されたい。用語「連結される」及び「接続される」は派生語と共に用いることができる。これらの用語は互いに同義語として意図するものではないと理解すべきである。従って、装置Ｂに連結された装置Ａの表現の範囲は、装置Ａが装置Ｂに直接接続された装置又はシステムに限定すべきでない。他の装置又は手段を含む経路とすることができる、装置Ａと装置Ｂとの間に経路が存在することを意味する。「連結される」は、２又は３以上の要素が直接、接触状態にある（物理的に又は電気的に）、又は２又は３以上の要素が互いに直接、接触状態にはないが、依然として互いに協働するか又は相互作用することを意味することができる。
【００４９】
従って、本発明の好ましい実施形態であると考えられるものを説明しているが、当業者は、本発明の精神から逸脱することなく他の別の修正を行い得ることを認識できるはずであり、本発明の範囲に含まれる全てのこのような変更及び修正を権利主張することが意図される。例えば、上記の何らかのやり方は、使用することができる手順を単に表す。機能はブロック図に追加すること又は削除することができ、操作は機能ブロックの間で交換することができる。ステップは、本発明の範囲内で、説明される方法に対して追加又は削除することができる。
【符号の説明】
【００５０】
１３０Ａ−１３０Ｅ  アレイ
１３２  第１のＬＥＤ種
１３４  第２のＬＥＤ種
１３６  第３のＬＥＤ種
１４０  基板
１４５  サブアレイ
【図１】
2021529113.tif 000003
【図２Ａ】
2021529113.tif 000004
【図２Ｂ】
2021529113.tif 000005
【図２Ｃ】
2021529113.tif 000006
【図３Ａ】
2021529113.tif 000007
【図３Ｂ】
2021529113.tif 000008
【図３Ｃ】
2021529113.tif 000009
【図３Ｄ】
2021529113.tif 000010
【図４Ａ】
2021529113.tif 000011
【図４Ｂ】
2021529113.tif 000012
【図５Ａ】
2021529113.tif 000013
【図５Ｂ】
2021529113.tif 000014
【国際調査報告】
2021529113.tif 000015
2021529113.tif 000016
2021529113.tif 000017